(57)【要約】【課題】ＩＣタグの装着作業性の向上を図ることのできるタグホルダを提供する。【解決手段】タグホルダ２は、カード状のＩＣタグ１の外周縁を囲う周壁部３と、ＩＣタグ１の表面と対向して支持する支持部４と、ＩＣタグ１の裏面を係止する係止部５とを備え、これらの間にタグ収容部６が設けられる。周壁部３は、互いに対向する第１側壁部７及び第２側壁部８と、互いに対向する第３側壁部９及び第４側壁部１０とを備え、支持部４は、第１側壁部７と第２側壁部８との間を連結する第１リブ１１と、第３側壁部９と第４側壁部１０との間を連結する第２リブ１２とを備える。第３側壁部９及び第４側壁部１０に設けられた係止部５と、第１側壁部７との間には、ＩＣタグ１をタグ収容部６に挿入させる入口部１３が設けられ、第２リブ１２のうちその端部を含む部位は、第１リブ１１よりも、タグ収容部６側の辺部がタグホルダ２の厚み方向において係止部５から離間している。【選択図】      図４
2020017037.tif 000002
【特許請求の範囲】
【請求項１】
カード状のＩＣタグを保持するタグホルダにおいて、
ＩＣタグの外周縁を囲い、ＩＣタグの外周縁と当接、又は、近接する周壁部と、
ＩＣタグの表裏面のうち一方と対向して支持する部位であって、前記周壁部の内面間を連結する支持部と、
ＩＣタグの表裏面のうち他方と対向して係止する部位であって、前記周壁部のうち前記支持部から所定距離を隔てた部位から内方に突出する係止部とを備え、
前記周壁部と、前記支持部と、前記係止部との間にＩＣタグを収容するタグ収容部が設けられ、
前記周壁部は、
互いに対向する第１側壁部、及び、第２側壁部と、
前記第１側壁部と前記第２側壁部とが対向している方向に対して直交する方向において互いに対向する第３側壁部、及び、第４側壁部とを備え、
前記支持部は、
前記第１側壁部と、前記第２側壁部との間を連結する第１連結部と、
前記第３側壁部と、前記第４側壁部との間を連結する第２連結部とを備えるとともに、
前記第２側壁部から離間した位置において、前記第３側壁部の内面に隣接する開口部、及び、前記第４側壁部の内面に隣接する開口部のうち少なくとも一方を有し、
前記係止部は、少なくとも前記第３側壁部、及び、前記第４側壁部に設けられ、
前記第３側壁部、及び、前記第４側壁部に設けられた前記係止部と、前記第１側壁部との間には、ＩＣタグを前記タグ収容部に挿入させるための入口部が設けられ、
前記第２連結部の前記タグ収容部側の面のうち前記第３側壁部、及び、前記第４側壁部と連接している端部を含む部位は、前記第１側壁部と前記第２側壁部とが対向している方向、及び、前記第３側壁部と前記第４側壁部とが対向している方向のどちらにも直交する方向であるタグホルダの厚み方向において、前記第１連結部の前記タグ収容部側の面よりも、前記係止部から離間していることを特徴とするタグホルダ。
【請求項２】
前記第２連結部の前記タグ収容部側の面のうち前記第３側壁部、及び、前記第４側壁部と連接している端部を含む部位は、連接する前記第３側壁部、又は、前記第４側壁部側に向けて、前記タグホルダの厚み方向において前記係止部から離間する側に傾斜して延びていることを特徴とする請求項１に記載のタグホルダ。
【請求項３】
カード状のＩＣタグを保持するタグホルダにおいて、
ＩＣタグの外周縁を囲い、当該ＩＣタグの外周縁と当接、又は、近接する周壁部と、
ＩＣタグの表裏面のうち一方と対向して支持する部位であって、前記周壁部の内面間を連結する支持部と、
ＩＣタグの表裏面のうち他方と対向して係止する部位であって、前記周壁部のうち前記支持部から所定距離を隔てた部位から内方に突出する係止部とを備え、
前記周壁部と、前記支持部と、前記係止部との間にＩＣタグを収容するタグ収容部が設けられ、
前記周壁部は、
互いに対向する第１側壁部、及び、第２側壁部と、
前記第１側壁部と前記第２側壁部とが対向している方向に対して直交する方向において互いに対向する第３側壁部、及び、第４側壁部とを備え、
前記支持部は、
前記第１側壁部と、前記第２側壁部との間を連結する第１連結部と、
前記第３側壁部と、前記第４側壁部との間を連結する第２連結部とを備えるとともに、
前記第２側壁部から離間した位置において、前記第３側壁部の内面に隣接する開口部、及び、前記第４側壁部の内面に隣接する開口部のうち少なくとも一方を有し、
前記係止部は、少なくとも前記第３側壁部、及び、前記第４側壁部に設けられ、
前記第３側壁部、及び、前記第４側壁部に設けられた前記係止部と、前記第１側壁部との間には、ＩＣタグを前記タグ収容部に挿入させるための入口部が設けられ、
前記支持部に設けられた開口部の前記第２側壁部側に隣接する前記第２連結部の前記第１側壁部側の面のうち前記タグ収容部側の部位は、少なくとも前記第３側壁部、及び、前記第４側壁部と連接している端部を含む部位において、前記タグ収容部側に向けて前記第２側壁部側に傾斜して延びていることを特徴とするタグホルダ。
【請求項４】
前記支持部に設けられた開口部の前記第２側壁部側に隣接する前記第２連結部の前記第１側壁部側の面のうち前記タグ収容部側の部位は、少なくとも前記第３側壁部、及び、前記第４側壁部と連接している端部を含む部位において、前記タグ収容部側に向けて前記第２側壁部側に傾斜して延びていることを特徴とする請求項１又は２に記載のタグホルダ。
【請求項５】
前記係止部の前記第１側壁部側の面のうち前記タグ収容部側の部位は、前記タグ収容部側に向けて前記第２側壁部側に傾斜して延びていることを特徴とする請求項１乃至４のいずれかに記載のタグホルダ。
【請求項６】
前記支持部に設けられた開口部の前記第２側壁部側に隣接する前記第２連結部の前記第１側壁部側の面のうち、前記第３側壁部、及び、前記第４側壁部と連接している端部を含む部位は、連接する前記第３側壁部、又は、前記第４側壁部側に向けて、前記第２側壁部側に傾斜して延びていることを特徴とする請求項１乃至５のいずれかに記載のタグホルダ。
【発明の詳細な説明】
【技術分野】
【０００１】
本発明は、カード状のＩＣタグを保持するタグホルダに関するものである。
【背景技術】
【０００２】
従来、カード状のＩＣタグをパレット等の対象物に取付ける場合に、ＩＣタグをタグホルダに装着し、当該タグホルダを対象物に取付けることが知られている。タグホルダとしては、ＩＣタグの外周縁を囲う周壁部と、ＩＣタグの表裏面のうち一方と対向して支持する部位であって、周壁部の内面間を連結するようにして略格子状に延在する支持部と、ＩＣタグの表裏面のうち他方と対向して係止する部位であって、周壁部のうち支持部から所定距離を隔てた部位から内方に突出する係止部とを備え、周壁部と、支持部と、係止部との間にＩＣタグを収容するタグ収容部を形成するといった技術がある（例えば、特許文献１等参照。）。
【０００３】
また、ＩＣタグを上記特許文献１のタグホルダに装着する場合には、係止部と、周壁部との間の隙間を介して、ＩＣタグの一辺をタグ収容部に斜めに挿入させるとともに、ＩＣタグを支持部に押し付けるようにして湾曲変形させつつ、前記一辺を先頭にして、ＩＣタグをその全体がタグ収容部に収容されるまで押込む（挿入させる）ようになっている。
【先行技術文献】
【特許文献】
【０００４】
【特許文献１】特開２０１４−３４４０１号公報
【発明の概要】
【発明が解決しようとする課題】
【０００５】
ところで、ＩＣタグの面積を大きくするべく、ＩＣタグの前記一辺の長さを長くした場合、当該ＩＣタグを上記特許文献１のタグホルダのタグ収容部に挿入させていく際に、ＩＣタグの前記一辺の両端部が支持部側に変形し易くなってしまうおそれがある。この場合、ＩＣタグの前記一辺の両端部が支持部に引っ掛かってしまい、ＩＣタグをタグホルダに装着する際の作業性の低下等を招いてしまうことが懸念される。
【０００６】
本発明は、上記例示した問題点等を解決するためになされたものであって、その目的は、ＩＣタグの装着作業性の向上を図ることのできるタグホルダを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．カード状のＩＣタグを保持するタグホルダにおいて、
ＩＣタグの外周縁を囲い、ＩＣタグの外周縁と当接、又は、近接する周壁部と、
ＩＣタグの表裏面のうち一方と対向して支持する部位であって、前記周壁部の内面間を連結する支持部と、
ＩＣタグの表裏面のうち他方と対向して係止する部位であって、前記周壁部のうち前記支持部から所定距離を隔てた部位から内方に突出する係止部とを備え、
前記周壁部と、前記支持部と、前記係止部との間にＩＣタグを収容するタグ収容部が設けられ、
前記周壁部は、
互いに対向する第１側壁部、及び、第２側壁部と、
前記第１側壁部と前記第２側壁部とが対向している方向に対して直交する方向において互いに対向する第３側壁部、及び、第４側壁部とを備え、
前記支持部は、
前記第１側壁部と、前記第２側壁部との間を連結する第１連結部と、
前記第３側壁部と、前記第４側壁部との間を連結する第２連結部とを備えるとともに、
前記第２側壁部から離間した位置において、前記第３側壁部の内面に隣接する開口部、及び、前記第４側壁部の内面に隣接する開口部のうち少なくとも一方を有し、
前記係止部は、少なくとも前記第３側壁部、及び、前記第４側壁部に設けられ、
前記第３側壁部、及び、前記第４側壁部に設けられた前記係止部と、前記第１側壁部との間には、ＩＣタグを前記タグ収容部に挿入させるための入口部が設けられ、
前記第２連結部の前記タグ収容部側の面のうち前記第３側壁部、及び、前記第４側壁部と連接している端部を含む部位は、前記第１側壁部と前記第２側壁部とが対向している方向、及び、前記第３側壁部と前記第４側壁部とが対向している方向のどちらにも直交する方向であるタグホルダの厚み方向において、前記第１連結部の前記タグ収容部側の面よりも、前記係止部から離間していることを特徴とするタグホルダ。
【０００９】
ＩＣタグをタグホルダに装着する場合、入口部を介して、ＩＣタグの一辺をタグ収容部に斜めに挿入させるとともに、ＩＣタグを支持部に押し付けるようにして湾曲変形させつつ、前記一辺を先頭にして、ＩＣタグをその全体がタグ収容部に収容されるまで押込む（挿入させる）こととなる。本手段１では、ＩＣタグのタグ収容部への挿入方向に対して直交して延在する第２連結部のタグ収容部側の面のうち第３側壁部、及び、第４側壁部と連接している端部を含む部位が、ＩＣタグのタグ収容部への挿入を案内する第１連結部のタグ収容部側の面よりも、タグホルダの厚み方向において係止部から離間している（タグ収容部を広げる側であり、タグホルダの厚み方向における外方側に位置している）。このため、ＩＣタグをタグ収容部に挿入していく際に、ＩＣタグの前記一辺（挿入方向先頭側の辺部）の両端部が支持部側に湾曲変形したとしても、当該ＩＣタグの前記一辺の両端部と、第２連結部との干渉を抑制する（ＩＣタグの前記一辺の両端部が多少変形しても、第２連結部と接触しないようにする）ことができる。従って、ＩＣタグの面積を大きくする（例えば、アンテナを大きくする）べく、ＩＣタグの前記一辺の長さを長くすることで、タグホルダへの装着に際しＩＣタグの前記一辺の両端部が変形し易くなったとしても、比較的スムースにＩＣタグをタグホルダに装着することができる。結果として、ＩＣタグの面積を確保しつつ、ＩＣタグをタグホルダに装着する際の作業性の向上を図ることができる。
【００１０】
尚、支持部に開口部が設けられることで、タグホルダの軽量化が図られるとともに、タグホルダを支持部側から視認した場合においても、支持部の開口部を介して、ＩＣタグが装着されているか否かを確認することができる。
【００１１】
手段２．前記第２連結部の前記タグ収容部側の面のうち前記第３側壁部、及び、前記第４側壁部と連接している端部を含む部位は、連接する前記第３側壁部、又は、前記第４側壁部側に向けて、前記タグホルダの厚み方向において前記係止部から離間する側に傾斜して延びていることを特徴とする手段１に記載のタグホルダ。
【００１２】
手段２によれば、第２連結部のタグ収容部側の面の両端部を傾斜させることで、タグ収容部に挿入されるＩＣタグの挿入方向先頭側の辺部の両端部との干渉を効率的に回避する形状とすることができる。従って、ＩＣタグをタグ収容部に挿入する際にＩＣタグが第２連結部に引っ掛かるといった事態を確実に防止するとともに、例えば、第２連結部のタグ収容部側の面において段差が形成される場合に比べて、段差への応力の集中が回避されることによる第２連結部の耐久性の向上、及び、ＩＣタグの挿入に際してＩＣタグが段差（角部）に接触することによる損傷の回避等を図ることができる。
【００１３】
手段３．カード状のＩＣタグを保持するタグホルダにおいて、
ＩＣタグの外周縁を囲い、当該ＩＣタグの外周縁と当接、又は、近接する周壁部と、
ＩＣタグの表裏面のうち一方と対向して支持する部位であって、前記周壁部の内面間を連結する支持部と、
ＩＣタグの表裏面のうち他方と対向して係止する部位であって、前記周壁部のうち前記支持部から所定距離を隔てた部位から内方に突出する係止部とを備え、
前記周壁部と、前記支持部と、前記係止部との間にＩＣタグを収容するタグ収容部が設けられ、
前記周壁部は、
互いに対向する第１側壁部、及び、第２側壁部と、
前記第１側壁部と前記第２側壁部とが対向している方向に対して直交する方向において互いに対向する第３側壁部、及び、第４側壁部とを備え、
前記支持部は、
前記第１側壁部と、前記第２側壁部との間を連結する第１連結部と、
前記第３側壁部と、前記第４側壁部との間を連結する第２連結部とを備えるとともに、
前記第２側壁部から離間した位置において、前記第３側壁部の内面に隣接する開口部、及び、前記第４側壁部の内面に隣接する開口部のうち少なくとも一方を有し、
前記係止部は、少なくとも前記第３側壁部、及び、前記第４側壁部に設けられ、
前記第３側壁部、及び、前記第４側壁部に設けられた前記係止部と、前記第１側壁部との間には、ＩＣタグを前記タグ収容部に挿入させるための入口部が設けられ、
前記支持部に設けられた開口部の前記第２側壁部側に隣接する前記第２連結部の前記第１側壁部側の面のうち前記タグ収容部側の部位は、少なくとも前記第３側壁部、及び、前記第４側壁部と連接している端部を含む部位において、前記タグ収容部側に向けて前記第２側壁部側に傾斜して延びていることを特徴とするタグホルダ。
【００１４】
手段３によれば、ＩＣタグのタグ収容部への挿入方向に対して直交して延在する第２連結部の第１側壁部側の面のうちタグ収容部側の部位が、タグ収容部側に向けて第２側壁部側に傾斜している。このため、ＩＣタグをタグ収容部に挿入していく際に、ＩＣタグの挿入方向先頭側の辺部の両端部が支持部側に湾曲変形し、第２連結部の第１側壁部側の面のタグ収容部側の部位と当接したとしても、当該部位の傾斜により、ＩＣタグの挿入方向先頭側の辺部の両端部をスムースにタグ収容部側に案内することができる。従って、ＩＣタグの面積を大きくする（例えば、アンテナを大きくする）ことで、タグホルダへの装着に際しＩＣタグの挿入方向先頭側の辺部の両端部が変形し易くなったとしても、比較的スムースにＩＣタグをタグホルダに装着することができる。結果として、ＩＣタグの面積を確保しつつ、ＩＣタグをタグホルダに装着する際の作業性の向上を図ることができる。
【００１５】
手段４．前記支持部に設けられた開口部の前記第２側壁部側に隣接する前記第２連結部の前記第１側壁部側の面のうち前記タグ収容部側の部位は、少なくとも前記第３側壁部、及び、前記第４側壁部と連接している端部を含む部位において、前記タグ収容部側に向けて前記第２側壁部側に傾斜して延びていることを特徴とする手段１又は２に記載のタグホルダ。
【００１６】
手段４によれば、上記手段３と同様の作用効果が奏される。加えて、上記手段１、２の構成に対し、本手段４の構成を組合わせることで、第２連結部のタグ収容部側の面のうち第３側壁部、及び、第４側壁部と連接する端部の全体を係止部から比較的大きく離間させるのではなく、第１側壁部側の一部のみを係止部から比較的大きく離間させる構成を採用することができる。つまり、第２連結部のうち第１側壁部側の面と、タグ収容部側の面との境界部を含む部位であって、第３側壁部、及び、第４側壁部と連接する端部を含む部位が、連接する第３側壁部、又は、第４側壁部側に向けて係止部から離間する側に傾斜するとともに、タグ収容部側に向けて第２側壁部側に傾斜するように構成することもできる。
【００１７】
手段５．前記係止部の前記第１側壁部側の面のうち前記タグ収容部側の部位は、前記タグ収容部側に向けて前記第２側壁部側に傾斜して延びていることを特徴とする手段１乃至４のいずれかに記載のタグホルダ。
【００１８】
手段５によれば、ＩＣタグをタグ収容部に挿入していく際に、ＩＣタグの挿入方向先頭側の辺部が、係止部の第１側壁部側の面のタグ収容部側の部位と当接したとしても、当該部位の傾斜により、ＩＣタグの挿入方向先頭側の辺部をスムースにタグ収容部側に案内することができる。従って、ＩＣタグをタグホルダに装着する際の作業性の向上を図るといった作用効果がより一層奏される。
【００１９】
手段６．前記支持部に設けられた開口部の前記第２側壁部側に隣接する前記第２連結部の前記第１側壁部側の面のうち、前記第３側壁部、及び、前記第４側壁部と連接している端部を含む部位は、連接する前記第３側壁部、又は、前記第４側壁部側に向けて、前記第２側壁部側に傾斜して延びていることを特徴とする手段１乃至５のいずれかに記載のタグホルダ。
【００２０】
手段６によれば、ＩＣタグをタグ収容部に挿入していく際に、ＩＣタグの挿入方向先頭側の辺部の両端部が支持部側に湾曲変形した場合、ＩＣタグは、挿入方向先頭側の辺部の湾曲部位が全体的に（一度に）第２連結部の第１側壁部側の面に当接するのではなく、第２連結部のうちタグ収容部側の面と第１側壁部側の面とのコーナー部に対して、前記湾曲部位のうち一点で当接することになる。そして、ＩＣタグをタグ収容部に挿入させて行くに従い、ＩＣタグの湾曲部位のうち第２連結部の前記コーナー部と当接した部位がタグ収容部側に案内されて湾曲が解消されるとともに、残りの前記湾曲部位についても、ＩＣタグの挿入方向先頭側の辺部の中央部側から端部側に向けて順次前記コーナー部に当接していくことで、前記湾曲部位の湾曲が内から外へ順次解消されていく。最終的に、前記湾曲部位全体の湾曲が少なくとも第２連結部との干渉が生じないまでに解消され、ＩＣタグの挿入方向先頭側の辺部が第２連結部を乗り越えるようになっている。従って、ＩＣタグをタグホルダに装着する際の作業性の向上を図るといった作用効果がより一層奏される。特に、上記手段３、手段４の構成を併用する場合には、第２連結部の前記コーナー部によりＩＣタグの前記湾曲部位をタグ収容部側に案内する作用が高められる上、前記コーナー部に当接した前記湾曲部位の損傷を抑制することができる。
【００２１】
尚、上記手段１〜手段４、及び、手段６において、第２連結部が複数存在する場合、各手段の「第２連結部の端部を含む部位の構成」が第２連結部のうち少なくとも１つに適用されていればよく、また、適用される箇所が増える程、各手段の作用効果がより顕著に奏される（上記手段５の係止部についても同様）。
【図面の簡単な説明】
【００２２】
【図１】ＩＣタグが装着されたタグホルダの第１構成面側の斜視図である。
【図２】ＩＣタグが装着されたタグホルダの第２構成面側の斜視図である。
【図３】タグホルダを第１構成面側から見た斜視図である。
【図４】タグホルダを第２構成面側から見た斜視図である。
【図５】タグホルダの長手幅方向に沿って切断した断面を含むタグホルダの斜視図である。
【図６】タグホルダの短手幅方向に沿って切断した断面を含むタグホルダの斜視図である。
【図７】ＩＣタグが装着されたタグホルダの一部断面を含む斜視図である。
【図８】ＩＣタグをタグホルダに装着する過程を示す一部断面を含む斜視図である。
【図９】タグホルダがパレットに取付けられた状態を示す部分拡大斜視図である。
【図１０】タグホルダがパレットに取付けられた状態を示す部分拡大斜視図である。
【図１１】別の実施形態におけるタグホルダを第２構成面側から見た正面図である。
【発明を実施するための形態】
【００２３】
以下に、一実施形態について図面を参照して説明する。図１〜図４、図７に示すように、四角いカード状のＩＣタグ１を保持するタグホルダ２は、ＩＣタグ１の外周縁を囲い、当該ＩＣタグ１の外周縁と当接、又は、近接する略矩形枠状の周壁部３と、ＩＣタグ１の表裏面のうち一方と対向して支持する部位であって、周壁部３の内面間を連結する支持部４と、ＩＣタグ１の表裏面のうち他方と対向して係止する部位であって、周壁部３のうち支持部４から所定距離を隔てた部位から内方に突出する係止部５とを備えている。当該構成により、周壁部３と、支持部４と、係止部５との間には、ＩＣタグ１を収容するタグ収容部６が設けられている。本実施形態のタグホルダ２は、ポリプロピレンにより一体的に形成されている。
【００２４】
尚、本実施形態のＩＣタグ１はパッシブ型であり、可撓性を有するカード状の基材と、半導体チップと、アンテナコイルとを備え、厚みが約０．５ｍｍとなっている。また、ＩＣタグ１のアンテナ設置面とは反対側の面は、２次元コード等が記された情報表示部とされている。
【００２５】
図３、図４等に示すように、周壁部３は、タグホルダ２の短手幅方向に延び、互いに対向する第１側壁部７、及び、第２側壁部８と、タグホルダ２の長手幅方向に延び、互いに対向する第３側壁部９、及び、第４側壁部１０とを備えている。また、支持部４は、第１側壁部７と、第２側壁部８との間を連結する第１連結部としての第１リブ１１と、第３側壁部９と、第４側壁部１０との間を連結する第２連結部としての第２リブ１２とを備えている。第１リブ１１、及び、第２リブ１２はそれぞれ２本ずつ設けられ、各第１リブ１１と、各第２リブ１２とが十字に連結されている。さらに、図示は省略するが、ＩＣタグ１は、情報表示部側の面が支持部４側に向くようにして装着され、格子状の支持部４に設けられた開口部（隙間）を介して、ＩＣタグ１の情報表示部を視認可能となっている。
【００２６】
係止部５は、第３側壁部９、及び、第４側壁部１０において、それぞれ３箇所に設けられており、タグホルダ２の短手幅方向において対称に配置されている。本実施形態では、第３側壁部９、及び、第４側壁部１０のうち、第２側壁部８との境界部において、第２側壁部８とも連結される係止部５が設けられる一方で、全ての係止部５は、第１側壁部７から離間して設けられるようになっている。これにより、第３側壁部９、及び、第４側壁部１０に設けられた係止部５と、第１側壁部７との間に、ＩＣタグ１をタグ収容部６に挿入させるための入口部１３が設けられている。
【００２７】
ＩＣタグ１をタグホルダ２に装着する場合、図８に示すように、入口部１３を介して、ＩＣタグ１の一辺をタグ収容部６に斜めに挿入させるとともに、ＩＣタグ１を支持部４に押し付けるようにして湾曲変形させつつ、前記一辺を先頭にして、ＩＣタグ１をその全体がタグ収容部６に収容されるまで押込む（挿入させる）こととなる。
【００２８】
尚、図３、図４等に示すように、第１側壁部７と第２側壁部８とが対向している方向（タグホルダ２の長手幅方向）、及び、第３側壁部９と第４側壁部１０とが対向している方向（タグホルダ２の短手幅方向）のどちらにも直交する方向であるタグホルダ２の厚み方向において、支持部４と、係止部５とが重複しないように配置されている。本実施形態の２本の第２リブ１２は、第３側壁部９及び第４側壁部１０においてそれぞれ３箇所に設けられた係止部５の間に配置されるようになっている。
【００２９】
また、図３に示すように、周壁部３のうちタグホルダ２の厚み方向における一方側の辺部と、支持部４のうちタグ収容部６側の辺部とは反対側の辺部とが面一とされている。以下、前記周壁部３の一方側の辺部、及び、前記支持部４の反対側の辺部により構成される面を、タグホルダ２の「第１構成面１４」とも称する。さらに、図４に示すように、周壁部３のうちタグホルダ２の厚み方向における他方側の辺部と、係止部５のうちタグ収容部６側の面とは反対側の面とが面一とされている。以下、前記周壁部３の他方側の辺部、及び、前記係止部５の反対側の面により構成される面を、タグホルダ２の「第２構成面１５」とも称する。
【００３０】
加えて、図２等に示すように、タグホルダ２は、周壁部３の第１側壁部７の外面側において、タグホルダ２をパレット３１（図９参照）に取付けるための取付部１６を備えている。取付部１６は、第３側壁部９、及び、第４側壁部１０を延長させたような格好で第１側壁部７の外面から突出する一対の側壁延長部１７と、一対の側壁延長部１７の先端縁間の開口を閉塞する蓋部１８とを備えている。蓋部１８は、第１側壁部７よりも一回り大きく構成され、一対の側壁延長部１７の外面、及び、側辺部よりも外方に突出している。さらに、取付部１６には、一対の側壁延長部１７の外面からそれぞれ外方に突出する係止突部１９が設けられている。
【００３１】
これに対し、図９、図１０に示すように、パレット３１は、タグホルダ２を収容するホルダ収容部３２を備えている。尚、図示は省略するが、パレット３１は、複数の柱部と、複数の柱部の上端部間を連結する上デッキ部とを備えており、例えば、パレット３１の中央に位置する柱部３３の上部内側にホルダ収容部３２が設けられている。柱部３３は、上下に延びる四角筒状の筒状部３４と、筒状部３４の上側の開口を閉塞する上壁部３５とを備えている。上壁部３５の中央部には、上壁部３５を上下に貫通する略正四角形状の中央孔部３６が設けられるとともに、中央孔部３６の各側辺部に沿って、上壁部３５を上下に貫通する取付孔部３７が４つ設けられている。つまり、本例では、ホルダ収容部３２の上部（入口）を構成する取付孔部３７が４つ設けられていることから、パレット３１に対し４つのタグホルダ２を取付可能に構成されている。
【００３２】
また、図９に示すように、取付孔部３７の内周面のうち下側の部位から内方に突出する内周突部３８が設けられている。これにより、取付孔部３７の内周面は、下側部位が一回り小さくなるようにして段差状をなしている。さらに、取付孔部３７のうち内周突部３８が設けられた下側部位の内寸は、第２側壁部８の外寸とほぼ同じであり、取付孔部３７のうち内周突部３８よりも上側部位の内寸は、タグホルダ２の取付部１６の蓋部１８の外寸とほぼ同じとなっている。
【００３３】
そして、蓋部１８が上方を向き、タグホルダ２の第１構成面１４（支持部４側の面）が中央孔部３６側を向くようにして、柱部３３の上方からタグホルダ２を取付孔部３７に挿入させ、一対の側壁延長部１７よりも外方に突出する蓋部１８の下面と、内周突部３８の上面とを当接させるとともに、係止突部１９を内周突部３８の下面に係止させることで、タグホルダ２がパレット３１に取付けられる。また、タグホルダ２のパレット３１への取付状態においては、中央孔部３６、及び、格子状に構成された支持部４の開口部（第１リブ１１、及び、第２リブ１２の間の隙間）を介して、ＩＣタグ１の情報表示部が視認可能となっている（図９参照）。さらに、タグホルダ２のパレット３１への取付状態においては、タグホルダ２の第２構成面１５（係止部５側の面）が、柱部３３の筒状部３４の内面と当接、又は、近接するようになっている（図１０参照）。
【００３４】
尚、図２等に示すように、タグホルダ２の取付部１６の蓋部１８のうち、タグホルダ２の第２構成面１５側の辺部には位置合わせ凹部２１が設けられている。これに対し、図９に示すように、パレット３１の柱部３３には、取付孔部３７の内周面（中央孔部３６から遠い側の面）から突出し、タグホルダ２のパレット３１への取付状態において位置合わせ凹部２１に挿入される位置合わせ凸部３９が設けられている。また、図２等に示すように、タグホルダ２の短手幅方向中央位置において、蓋部１８と、第１側壁部７との間を連結する補強リブ２２が設けられている。さらに、第１側壁部７、蓋部１８、及び、側壁延長部１７のうち、タグホルダ２の第１構成面１４側の部位の間を連結する補強壁２３が設けられ、当該補強壁２３は補強リブ２２とも連結されている。加えて、図９に示すように、タグホルダ２のパレット３１への取付状態においては、蓋部１８の上面が、柱部３３の上壁部３５の上面と面一、又は、上壁部３５の上面よりも下方に位置するようになっている。
【００３５】
図４〜図６等に示すように、第２リブ１２は、一対の第１リブ１１の間の部位に関しては、タグ収容部６側の辺部が、第１リブ１１のタグ収容部６側の辺部と面一となっている。その一方で、第２リブ１２のうち、第３側壁部９、及び、第４側壁部１０と、第１リブ１１との間の部位に関しては、第１リブ１１に近い部位は、タグ収容部６側の辺部が、第１リブ１１のタグ収容部６側の辺部と面一となっているものの、それよりも第２側壁部８の両端部側の部位では、タグ収容部６側の辺部が、連接する第３側壁部９、又は、第４側壁部１０側に向けて、タグホルダ２の厚み方向において係止部５から離間する側（タグホルダ２の第１構成面１４側）に傾斜して延びている。これにより、第２リブ１２のタグ収容部６側の辺部のうち第３側壁部９、及び、第４側壁部１０と連接する端部を含む部位は、第１リブ１１のタグ収容部６側の辺部よりも、タグホルダ２の厚み方向において係止部５から離間する（第１構成面１４側に位置する）ようになっている。
【００３６】
また、図４、図５に示すように、第２リブ１２の第１側壁部７側の辺部のうちタグ収容部６側の部位は、タグ収容部６側に向けて第２側壁部８側に傾斜して延びている。さらに、図３等に示すように、係止部５の第１側壁部７側の面のうちタグ収容部６側の部位は、タグ収容部６側に向けて第２側壁部８側に傾斜して延びている。加えて、係止部５のうち、タグ収容部６側の面は、第１側壁部７側の部位に関しては、上記のように傾斜しているのに対し、第２側壁部８側の部位は、第１リブ１１と平行して延びている。但し、第３側壁部９、及び、第４側壁部１０において３つずつ設けられた係止部５のうち、第１側壁部７側の２つに関しては、係止部５のタグ収容部６側の面の第２側壁部８側の部位において、タグホルダ２の短手幅方向における係止部５の幅の中央部を通るようにして、第１リブ１１の延在方向に沿って延びる係止突条部２４が設けられている。尚、係止突条部２４は面取り形状とされ、タグ収容部６に挿入される過程のＩＣタグ１が係止突条部２４と引っ掛かることなく比較的スムースに摺接するようになっている。
【００３７】
以上詳述したように、本実施形態によれば、ＩＣタグ１のタグ収容部６への挿入方向に対して直交して延在する第２リブ１２のタグ収容部６側の辺部の各端部を含む部位が、ＩＣタグ１のタグ収容部６への挿入を案内する第１リブ１１のタグ収容部６側の辺部よりも、タグホルダ２の厚み方向において係止部５から離間している（タグホルダ２の第１構成面１４側に位置している）。このため、ＩＣタグ１をタグ収容部６に挿入していく際に、ＩＣタグ１の挿入方向先頭側の辺部の両端部が支持部４側に湾曲変形したとしても、当該ＩＣタグ１の挿入方向先頭側の辺部の両端部と、第２リブ１２との干渉を抑制する（ＩＣタグ１の挿入方向先頭側の辺部の両端部が多少変形しても、第２リブ１２と接触しないようにする）ことができる。従って、ＩＣタグ１の面積を大きくする（例えば、アンテナを大きくする）べく、ＩＣタグ１の挿入方向先頭側の辺部の長さを長くすることで、タグホルダ２への装着に際しＩＣタグ１の挿入方向先頭側の辺部の両端部が変形し易くなったとしても、比較的スムースにＩＣタグ１をタグホルダ２に装着することができる。結果として、ＩＣタグ１の面積を確保しつつ、ＩＣタグ１をタグホルダ２に装着する際の作業性の向上を図ることができる。
【００３８】
特に、本実施形態では、第２リブ１２のタグ収容部６側の辺部の各端部を含む部位が、連接する第３側壁部９、又は、第４側壁部１０に向けて、タグホルダ２の第１構成面１４側に傾斜している。このため、タグ収容部６に挿入されるＩＣタグ１の挿入方向先頭側の辺部の両端部との干渉を効率的に回避する形状とすることができる。従って、ＩＣタグ１をタグ収容部６に挿入する際にＩＣタグ１が第２リブ１２に引っ掛かるといった事態を確実に防止するとともに、例えば、第２リブ１２のタグ収容部６側の辺部において段差が形成される場合に比べて、段差への応力の集中が回避されることによる第２リブ１２の耐久性の向上、及び、ＩＣタグ１の挿入に際してＩＣタグ１が段差（角部）に接触することによる損傷の回避等を図ることができる。
【００３９】
また、第２リブ１２の第１側壁部７側の辺部のうちタグ収容部６側の部位が、タグ収容部６側に向けて第２側壁部８側に傾斜している。このため、ＩＣタグ１をタグ収容部６に挿入していく際に、ＩＣタグ１の挿入方向先頭側の辺部の両端部が支持部４側に湾曲変形し、第２リブ１２の第１側壁部７側の辺部のタグ収容部６側の部位と当接したとしても、当該部位の傾斜により、ＩＣタグ１の挿入方向先頭側の辺部の両端部をスムースにタグ収容部６側に案内することができる。従って、ＩＣタグ１をタグホルダ２に装着する際の作業性の向上を図るといった作用効果がより一層奏される。
【００４０】
さらに、係止部５の第１側壁部７側の面のうちタグ収容部６側の部位は、タグ収容部６側に向けて第２側壁部８側に傾斜して延びている。このため、ＩＣタグ１をタグ収容部６に挿入していく際に、ＩＣタグ１の挿入方向先頭側の辺部が、係止部５の第１側壁部７側の面のタグ収容部６側の部位と当接したとしても、当該部位の傾斜により、ＩＣタグ１の挿入方向先頭側の辺部をスムースにタグ収容部６側に案内することができる。従って、ＩＣタグ１をタグホルダ２に装着する際の作業性の向上を図るといった作用効果がより一層奏される。
【００４１】
加えて、支持部４が格子状に構成されている。このため、タグホルダ２の軽量化、省材料化を図るとともに、支持部４の開口部（隙間）を介して、タグホルダ２に装着されたＩＣタグ１の情報表示部を視認することができる。また、パレット３１に取付けられた状態においても、パレット３１の中央孔部３６、及び、支持部４の隙間を介して、ＩＣタグ１の情報表示部を視認することができる。従って、パレット３１に取付ける、或いは、パレット３１から取外すＩＣタグ１の判別を行い易くすることができ、作業性の向上等を図ることができる。さらに、パレット３１に取付けられたタグホルダ２の第２構成面１５（係止部５側の面）は、パレット３１の柱部３３の筒状部３４の内面と当接、又は、近接するようになっている。このため、タグホルダ２に装着されたＩＣタグ１が、第３側壁部９に設けられた係止部５と、第４側壁部１０に設けられた係止部５との間の隙間を介して、タグホルダ２から脱落してしまうといった事態を、筒状部３４の内面によって確実に防止することができる。
【００４２】
尚、上記実施形態の記載内容に限定されず、例えば次のように実施してもよい。勿論、以下において例示しない他の応用例、変更例も当然可能である。
【００４３】
（ａ）上記実施形態において、第１リブ１１、及び、第２リブ１２の数、配置、大きさ等は特に限定されるものではなく、少なくとも１本ずつ設けられていればよい。但し、ＩＣタグ１をタグ収容部６にスムースに（挿入方向に対して左右に傾きなく）挿入させたり、タグホルダ２の変形を抑制したり、ＩＣタグ１のタグ収容部６への収容状態の安定化を図ったりするべく、第１リブ１１は２本以上設けられることが望ましい。さらに、第２リブ１２についても、タグホルダ２の変形を抑制したり、ＩＣタグ１のタグ収容部６への収容状態の安定化を図ったりするべく、２本以上設けられることが望ましい。
【００４４】
加えて、格子状に構成された支持部４の隙間を部分的に閉塞するように構成してもよい。例えば、一対の第２リブ１２の間を壁部で閉塞してもよいし、第１側壁部７側の第２リブ１２と第１側壁部７との間、及び、第２側壁部８側の第２リブ１２と第２側壁部８との間の部位を壁部で閉塞してもよい。尚、支持部４のうち、第２側壁部８から離間した位置において、第３側壁部９と隣接する開口部、及び、第４側壁部１０と隣接する開口部のうち少なくとも一方が設けられていることとしてもよい。支持部４に開口部が設けられることで、タグホルダ２の軽量化が図られるとともに、タグホルダ２を支持部４側から視認した場合においても、支持部４の開口部を介して、ＩＣタグ１が装着されているか否かを確認することができる。
【００４５】
また、上記実施形態では、周壁部３は、ＩＣタグ１の全周を隙間なく囲っているが、周壁部３に隙間が形成されていてもよい。さらに、上記実施形態では、第３側壁部９と、第４側壁部１０との間の距離が、ＩＣタグ１の短辺部の幅と対応し、第１側壁部７と、第２側壁部８との間の距離が、ＩＣタグ１の長辺部の幅と対応するように構成されているが、第３側壁部９と、第４側壁部１０との間の距離が、ＩＣタグ１の長辺部の幅と対応し、第１側壁部７と、第２側壁部８との間の距離が、ＩＣタグ１の短辺部の幅と対応するように構成してもよい。
【００４６】
（ｂ）上記実施形態では、第２リブ１２のタグ収容部６側の辺部の両端部を含む部位は、連接する第３側壁部９、又は、第４側壁部１０側に向けて、タグホルダ２の厚み方向において係止部５から離間する側に傾斜しているが、特にかかる構成に限定されるものではない。例えば、第２リブ１２のタグ収容部６側の辺部の両端部を含む部位が、第１リブ１１のタグ収容部６側の辺部よりも、タグホルダ２の厚み方向において係止部５から離間するようにして、第２リブ１２のタグ収容部６側の辺部が段差状に構成されていることとしてもよい。さらに、第２リブ１２のうち、第１リブ１１との連接部近傍部位や第１リブ１１同士の間を連結するようにして延びる部位についても、第１リブ１１のタグ収容部６側の辺部よりも、タグホルダ２の厚み方向において係止部５から離間するように構成してもよい。
【００４７】
また、上記実施形態では、第２リブ１２のタグ収容部６側の辺部の両端部を含む部位が上記のように傾斜し、さらに、第２リブ１２の第１側壁部７側の辺部のうちタグ収容部６側の部位が、タグ収容部６側に向けて第２側壁部８側に傾斜しているが、少なくともどちらか一方の傾斜構造を具備していればよい。加えて、上記実施形態では、第２リブ１２のタグ収容部６側の面のうち第３側壁部９、及び、第４側壁部１０と連接する端部の全体が第１構成面１４側に傾斜するように構成されているが、第２リブ１２の第１側壁部７側の面がタグ収容部６側に向けて第２側壁部８側に傾斜する構成を組合わせれば、第２リブ１２のタグ収容部６側の面のうち第１構成面１４側に傾斜する部位を第１側壁部７側の一部とすることも可能である。つまり、第２リブ１２のうち第１側壁部７側の面と、タグ収容部６側の面との境界部を含む部位であって、第３側壁部９、及び、第４側壁部１０と連接する端部を含む部位が、連接する第３側壁部９、又は、第４側壁部１０側に向けて第１構成面１４側に傾斜するとともに、タグ収容部６側に向けて第２側壁部８側に傾斜するように構成することとしてもよい。
【００４８】
（ｃ）加えて、図１１に示すように、第１側壁部７側の第２リブ１２のうち両端部を含む部位を、連接する第３側壁部９、又は、第４側壁部１０側に向けて、第２側壁部８側に傾斜させるように構成してもよい。この場合、ＩＣタグ１をタグ収容部６に挿入していく際に、ＩＣタグ１の挿入方向先頭側の辺部の両端部が支持部４側に湾曲変形した場合、ＩＣタグ１は、挿入方向先頭側の辺部の湾曲部位が全体的に（一度に）第２リブ１２の第１側壁部７側の辺部に当接するのではなく、第２リブ１２のうちタグ収容部６側の辺部と第１側壁部７側の辺部とのコーナー部に対して、前記湾曲部位のうち一点で当接することになる。そして、ＩＣタグ１をタグ収容部６に挿入させて行くに従い、ＩＣタグ１の湾曲部位のうち第２リブ１２の前記コーナー部と当接した部位がタグ収容部６側に案内されて湾曲が解消されるとともに、残りの前記湾曲部位についても、ＩＣタグ１の挿入方向先頭側の辺部の中央部側から端部側に向けて順次前記コーナー部に当接していくことで、前記湾曲部位の湾曲が内から外へ順次解消されていく。最終的に、前記湾曲部位全体の湾曲が少なくとも第２リブ１２との干渉が生じないまでに解消され、ＩＣタグ１の挿入方向先頭側の辺部が第２リブ１２を乗り越えるようになっている。従って、ＩＣタグ１をタグホルダ２に装着する際の作業性の向上を図るといった作用効果がより一層奏される。特に、第２リブ１２の第１側壁部７側の辺部のうちタグ収容部６側の部位が、タグ収容部６側に向けて第２側壁部８側に傾斜する構成と併用されることで、第２リブ１２の前記コーナー部によりＩＣタグ１の前記湾曲部位をタグ収容部６側に案内する作用が高められる上、前記コーナー部に当接した前記湾曲部位の損傷を抑制することができる。
【００４９】
尚、第２リブ１２の両端部を含む部位を全体的に第３側壁部９、又は、第４側壁部１０に向けて第２側壁部８側に傾斜させなくても、第２リブ１２のうち第１側壁部７と対向する面を同方向に傾斜させることで、同様の作用効果が奏される。さらに、第２リブ１２のうち、第３側壁部９、及び、第４側壁部１０と、第１リブ１１との間の部位の全体を傾斜させなくてもよく、タグ収容部６に挿入されるＩＣタグ１の湾曲した側部が当接し得る範囲を傾斜させればよい。また、図１１では、一対の第２リブ１２のうち第１側壁部７側の第２リブ１２に関し、第２リブ１２の両端部が、第３側壁部９、又は、第４側壁部１０に向けて第２側壁部８側に傾斜するようになっているが、第２側壁部８側の第２リブ１２についても同様に傾斜させてもよい。
【００５０】
（ｄ）また、上記実施形態では、係止部５の第１側壁部７側の面のうちタグ収容部６側の部位は、タグ収容部６側に向けて、第２側壁部８側に傾斜しているが、係止部５の第１側壁部７側の面や、タグ収容部６側の面を平坦面としてもよいし、係止部５の第１側壁部７側の面やタグ収容部６側の面の全体を傾斜させることとしてもよい。尚、係止部５の数、配置、大きさ等は特に限定されるものではなく、少なくとも第３側壁部９、及び、第４側壁部１０に設けられ、第３側壁部９、及び、第４側壁部１０に設けられた係止部５と、第１側壁部７との間に入口部１３が設けられていればよい。例えば、第２側壁部８に連接するような係止部５が設けられなくてもよいし、第１側壁部７に連接する（比較的小さな）係止部を設けることとしてもよい。
【００５１】
（ｅ）タグホルダ２が取付けられる対象物は特に限定されるものではなく、合成樹脂製の容器等に取付けることとしてもよい。また、タグホルダ２を対象物に取付けるための構成や、タグホルダ２を対象物に取付ける向き等についても特に限定されるものではなく、適宜変更可能である。例えば、タグホルダ２に取付部１６が設けられていなくても、対象物がタグホルダ２を保持可能なように構成してもよい。
【００５２】
（ｆ）上記実施形態では、タグホルダ２はポリプロピレンにより構成されているが、ポリエチレン、ＰＥＴ、ポリアミド等その他の樹脂材料により構成されることとしてもよい。尚、ＩＣタグ１は、基本的には略矩形をなして周壁部３に安定して保持されるカード状とされていればよく、例えば、コーナー部を面取り形状としたり、側辺部の一部を切り欠くようにして凹部を形成したりすることも可能である。
【符号の説明】
【００５３】
１…ＩＣタグ、２…タグホルダ、３…周壁部、４…支持部、５…係止部、６…タグ収容部、７…第１側壁部、８…第２側壁部、９…第３側壁部、１０…第４側壁部、１１…第１リブ、１２…第２リブ、１３…入口部、１４…第１構成面、１５…第２構成面、３１…パレット、３７…取付孔部。
【図１】
2020017037.tif 000003
【図２】
2020017037.tif 000004
【図３】
2020017037.tif 000005
【図４】
2020017037.tif 000006
【図５】
2020017037.tif 000007
【図６】
2020017037.tif 000008
【図７】
2020017037.tif 000009
【図８】
2020017037.tif 000010
【図９】
2020017037.tif 000011
【図１０】
2020017037.tif 000012
【図１１】
2020017037.tif 000013